(57)【特許請求の範囲】
【請求項１】
ケースに対し回転可能に組み付けられるダイヤルの回転操作時にクリック感を発生させてダイヤルがクリック止めされる構造であって、
前記ダイヤルの回転と連動し、クリック用溝を有する溝部材と、
前記ダイヤルの回転操作時に前記クリック用溝に進入するボールと、
前記クリック用溝に進入する方向に前記ボールを付勢するバネと、
前記バネを押え、前記ダイヤルに押え部材を介してネジ止めされるバネ押えと、を備え、
前記バネ押えに、前記バネの付勢力の大きさを変更するための少なくとも２種以上の高さが異なるバネ押え部を設けたことを特徴とするダイヤル構造。
【請求項２】
前記ダイヤルと前記溝部材をケースに対し回転可能に組み付ける一方、
前記ケースに対し前記ダイヤルとは反対側から前記ボール、バネ及び前記バネ押えを組み付けたことを特徴とする請求項１に記載のダイヤル構造。
【請求項３】
前記ケースに形成された貫通孔に前記ボール及びバネを挿入したことを特徴とする請求項１または２に記載のダイヤル構造。
【請求項４】
前記バネ押えを回転させることにより前記高さが異なるバネ押え部のいずれかに前記ボールが位置することで、前記バネの付勢力が変更されることを特徴とする請求項１から３のいずれか一項に記載のダイヤル構造。
【請求項５】
請求項１から４のいずれか一項に記載のダイヤル構造を前記ケースに備えることを特徴とする電子機器。
【発明の詳細な説明】
【技術分野】
【０００１】
本発明は、カメラにおけるモードダイヤル等のダイヤル構造と、そのダイヤル構造を備える電子機器に関する。
【背景技術】
【０００２】
デジタルカメラにおいては、一般に撮影モードを切り替え・選択するためのモードダイヤル（特許文献１等参照）が装備され、例えば図５に示すようなモードダイヤル１１がある。
図６は従来のモードダイヤル構造を示すもので、図示のように、モードダイヤル１１に、クリック感を発生させるためのクリック用溝１２ａを有した溝部材１２が接着されている。モードダイヤル１１は、カメラ本体上部のケース１に軸着して、押え部材１３及び板バネ１４を介してネジ１５にて回転可能に固定される。ケース１に外観パネル２が係合している。
そして、モードダイヤル１１を回すと、コイルバネ１６によって押されたボール１７が、溝部材１２の回転方向に設けられたクリック用溝１２ａに入り込むことによって、クリック感が得られる。
また、板バネ１４の摺動部１４ａは、一定荷重で基板３の銅箔面に接触することによって、電気的な接続と銅箔パターンによりスイッチ機能を得る。
【０００３】
このような従来のモードダイヤル構造において、モードダイヤル１１を組み立てる場合、ケース１にコイルバネ１６を載せ、次にボール１７を載せて、溝部材１２が接着されたモードダイヤル１１を上から被せ、今度は内側からネジ１５で止めるため、ボール１７等が組み立て時に落ち易く、組み立てし難い問題があった。
そして、仕様により要求されるクリック力が違うため、機種毎にコイルバネ１６のバネ力を変える必要があった。
【０００４】
また、特許文献２において、モードダイヤルを載せるケースに対し内側からクリック用のボール及びコイルバネ、そのバネ押え、その中央の押え部材を組み付けるモードダイヤル構造が開示される。
このように、モードダイヤルを載せるケースの内側からクリック用のボール及びコイルバネ、バネ押え、押え部材を組み付ける構造とすることで、組み立てが容易になる。
【先行技術文献】
【特許文献】
【０００５】
【特許文献１】特開２００４−１４６１６３号公報
【特許文献２】特開２００６−６６１４７号公報
【発明の概要】
【発明が解決しようとする課題】
【０００６】
しかし、仕様により要求されるクリックに対応して機種毎にコイルバネのバネ力を変えることは従来不可能であった。
【０００７】
本発明の課題は、仕様により要求されるクリックに対応して機種毎にバネ力を変えることを可能とすることである。
【課題を解決するための手段】
【０００８】
以上の課題を解決するため、本発明は、
ケースに対し回転可能に組み付けられるダイヤルの回転操作時にクリック感を発生させ
てダイヤルがクリック止めされる構造であって、
前記ダイヤルの回転と連動し、クリック用溝を有する溝部材と、
前記ダイヤルの回転操作時に前記クリック用溝に進入するボールと、
前記クリック用溝に進入する方向に前記ボールを付勢するバネと、
前記バネを押え、前記ダイヤルに押え部材を介してネジ止めされるバネ押えと、を備え、
前記バネ押えに、前記バネの付勢力の大きさを変更するための少なくとも２種以上の高さが異なるバネ押え部を設けたことを特徴とする。
【発明の効果】
【０００９】
本発明によれば、仕様に合ったクリック力を選択することができるため、総合的に部品点数を削減できる。
【図面の簡単な説明】
【００１０】
【図１】本発明を適用したモードダイヤル構造の一実施形態の構成を示す分解斜視図である。
【図２】図１のモードダイヤル構造の組立状態の縦断面図で、バネ押え部の高さが高い状態を示した図である。
【図３】同じくバネ押え部の高さが中間の状態を示した図である。
【図４】同じくバネ押え部の高さが低い状態を示した図である。
【図５】本発明を適用する電子機器の一実施形態の構成を示すもので、カメラの斜視図である。
【図６】従来のモードダイヤル構造を示す縦断面図である。
【発明を実施するための形態】
【００１１】
以下、図を参照して本発明を実施するための形態を詳細に説明する。
（実施形態）
図１及び図２は本発明を適用したモードダイヤル構造の一実施形態の構成を示すもので、１はケース、３は基板、１１はモードダイヤル、１２は溝部材、１３は押え部材、１４は板バネ、１５はネジ、１６はコイルバネ、１７はボール、１８はバネ押えである。
【００１２】
図示のように、モードダイヤル１１に、クリック感を発生させるためのクリック用溝１２ａを有した溝部材１２が係合している。
モードダイヤル１１は、溝部材１２を介してケース１に軸部で回転可能に組み付けて、押え部材１３及び板バネ１４を介してネジ１５にて回転可能に固定される。
そして、モードダイヤル１１を回すと、コイルバネ１６によって押されたボール１７が、溝部材１２の回転方向に設けられたクリック用溝１２ａに入り込むことによって、クリック感が得られる。
また、板バネ１４の摺動部１４ａは一定荷重で基板３の銅箔面に接触することにより電気的な接続と銅箔パターンによりスイッチ機能を得る。
【００１３】
モードダイヤル１１を組み立てる場合、ケース１に対し溝部材１２が接着されたモードダイヤル１１を上から被せた後、ケース１の内側から、その貫通孔１ａに、ボール１７、コイルバネ１６を挿入し、そのバネ押え１８、その中央の押え部材１３、及びその下面の板バネ１４を組み付ける。
そして、押え部材１３及び板バネ１４の中央部を貫通するネジ１５でモードダイヤル１１の軸部に共締めすることにより、ボール１７等が落下することなく容易に組み立てられる。
【００１４】
バネ押え１８には、図１に示すように、高さの違う三つのバネ押え部１８ａ・１８ｂ・１８ｃが設けてあり、使用箇所によりクリック力を変えることができる。
このため、機種毎に、コイルバネ１６のバネ力を変える必要がなく、バネ押え１８の取り付け方向を変えることで、各仕様に合ったクリック力を選定することができ、その結果、総合的に部品点数を削減できる。
【００１５】
図２は高さが高いバネ押え部１８ａにコイルバネ１６が位置した状態を示したもので、図３は高さが中間のバネ押え部１８ｂにコイルバネ１６が位置した状態を示したもので、図４は高さが低いバネ押え部１８ｃにコイルバネ１６が位置した状態を示したものである。
【００１６】
以上、実施形態のモードダイヤル構造によれば、モードダイヤル１１を載せるケース１の内側からクリック用のボール１７及びコイルバネ１６、そのバネ押え１８、その中央の押え部材１３を組み付ける構造とすることで、組み立てが容易になる。
【００１７】
そして、バネ押え１８の取り付け方向を変えることで、その高さの違う三つのバネ押え部１８ａ・１８ｂ・１８ｃにコイルバネ１６を位置させることによって、各仕様に合ったクリック力を選択することができるため、総合的に部品点数を削減できる。
【００１８】
（変形例）
なお、バネ押え１８の外周の一部をケース１の外部にレバー状に露出させ、撮影者が回転することとしてもよい。
その場合、バネ押え１８の回転動作をスムーズにするために、バネ押え１８のバネ押え部１８ａ・１８ｂ・１８ｃを、図示のように明確な凹みではなく、図示しないが、緩やかな凹みやスロープにする。
【００１９】
（他の変形例）
以上の実施形態においては、カメラのモードダイヤルとしたが、本発明はこれに限定されるものではなく、カメラを備える携帯電話など他の電子機器のダイヤルであってもよい。
また、ダイヤル構造の構成部品の形状等も任意であり、その他、具体的な細部構造等についても適宜に変更可能であることは勿論である。
【００２０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
ケースに対し回転可能に組み付けられるダイヤルの回転操作時にクリック感を発生させてダイヤルがクリック止めされる構造であって、
前記ダイヤルと連動し、クリック用溝を有する溝部材と、
前記ダイヤルの回転操作時に前記クリック用溝に進入するボールと、
前記クリック用溝に進入する方向に前記ボールを付勢するバネと、
前記バネを押えるバネ押えと、を備え、
前記バネ押えに、前記バネの付勢力の大きさを変更するための少なくとも２種以上の高さが異なるバネ押え部を設けたことを特徴とするダイヤル構造。
＜請求項２＞
前記ダイヤルと前記溝部材をケースに対し回転可能に組み付ける一方、
前記ケースに対し前記ダイヤルとは反対側から前記ボール、バネ及び前記バネ押えを組み付けたことを特徴とする請求項１に記載のダイヤル構造。
＜請求項３＞
前記ケースに形成された貫通孔に前記ボール及びバネを挿入したことを特徴とする請求項１または２に記載のダイヤル構造。
＜請求項４＞
前記バネ押えを前記ダイヤルに押え部材を介してネジ止めしたことを特徴とする請求項１から３のいずれか一項に記載のダイヤル構造。
＜請求項５＞
前記バネ押えを回転させることにより前記高さが異なるバネ押え部のいずれかに前記ボールが位置することで、前記バネの付勢力が変更されることを特徴とする請求項１から４のいずれか一項に記載のダイヤル構造。
＜請求項６＞
請求項１から５のいずれか一項に記載のダイヤル構造を前記ケースに備えることを特徴とする電子機器。
【符号の説明】
【００２１】
１  ケース
１ａ  貫通孔
２  外観パネル
３  基板
１１  ダイヤル
１２  溝部材
１２ａ  クリック用溝
１３  押え部材
１４  板バネ
１４ａ  摺動部
１５  ネジ
１６  コイルバネ
１７  ボール
１８  バネ押え
１８ａ・１８ｂ・１８ｃ  バネ押え部
【図１】
0006476911.tif 000002
【図２】
0006476911.tif 000003
【図３】
0006476911.tif 000004
【図４】
0006476911.tif 000005
【図５】
0006476911.tif 000006
【図６】
0006476911.tif 000007